(57)【要約】【課題】本発明は、簡単な方法でIPアドレスの設定ができる照明制御システムを提供することを目的とする。【解決手段】請求項１の発明は、ユニークな照明主操作盤番号が設定され、前記照明主操作盤番号をポート番号と関連付けて保持している複数の照明主操作盤１と；照明主操作盤と接続される制御端末器２と；制御端末器に接続される照明負荷３と；前記照明主操作盤に接続され照明主操作盤を監視するとともに、照明主操作盤のポート番号に対してIPアドレスをブロードキャストすることにより照明主操作盤にIPアドレスを付与する照明センター装置４と；を具備することを特徴とする。【選択図】図１
2005286469.tif 000002
【特許請求の範囲】
【請求項１】
ユニークな照明主操作盤番号が設定され、前記照明主操作盤番号をポート番号と関連付けて保持している複数の照明主操作盤と；
照明主操作盤と接続される制御端末器と；
制御端末器に接続される照明負荷と；
前記照明主操作盤に接続され照明主操作盤を監視するとともに、照明主操作盤のポート番号に対してIPアドレスをブロードキャストすることにより照明主操作盤にIPアドレスを付与する照明センター装置と；
を具備することを特徴とする照明制御システム。
【請求項２】
前記ユニークな照明主操作盤番号は、照明主操作盤のディップスイッチまたは画面操作により設定することを特徴とする請求項１記載の照明制御システム。
【発明の詳細な説明】
【技術分野】
【０００１】
本発明は、ネットワークにおけるIPアドレスの設定手段を有する照明制御システムに関する。
【背景技術】
【０００２】
一般的に、ネットワークに接続された各ノードが通信を行う際には、ネットワーク内でユニークなIP(Internet Protocol)アドレスをノード毎に設定する必要がある。
【０００３】
IPアドレスの自動設定する方式としてDHCP(Dynamic Host Configuration Protocol)がある。DHCPでは、ネットワーク上にDHCPサーバが存在し、各ノードにはDHCPクライアントが実装され、ノードがネットワークに接続した際、DHCPサーバに対しIPアドレス設定の要求を出し、DHCPサーバは各ノードからの要求を受けると、ノードに対しユニークなIPアドレスを通知する。
【０００４】
この時、DNS(Domain Name System )サーバのIPアドレス等の各種ネットワーク設定情報も同時に通知する。これにより各ノードにIPアドレスが割り当てられる。ノードに対して通信を行う時はIPアドレスを指定する。しかし、IPアドレスは数値で表されているため、非常に覚えにくい。そのため、アドレスのかわりに各ノードにホスト名をつけ、IPアドレスとホスト名を対応させておくことで、ホスト名による通信が行えるようになる。
【０００５】
また、ホスト名に別名を付けることができる。この時のホスト名とIPアドレスの対応、及びホスト名とその別名の対応を記憶し、ホスト名や別名をIPアドレスに変換するシステムがDNSである。それぞれの対応を表すレコードはDNSサーバに記憶されている。また、各ノードにはDNSリゾルバが実装され、ホスト名を用いて通信する場合には、DNSリゾルバがホスト名の解決をDNSサーバに要求し、DNSサーバによりホスト名がIPアドレスに変換されてから、そのIPアドレスを用いて通信を行うものである。（特許文献１）
【特許文献１】特開２００３−８７２８７号公報（第２頁）
【発明の開示】
【発明が解決しようとする課題】
【０００６】
オープンなネットワークにおいては、上述したようにネットワーク上にDHCPサーバが存在し、各ノードにはDHCPクライアントが実装され、ノードがネットワークに接続した際、DHCPサーバに対しIPアドレス設定の要求を出し、DHCPサーバは各ノードからの要求を受けると、ノードに対しユニークなIPアドレスを通知するという高度なシステム構成をしているが、照明制御のような所定の建物内でクローズされたシステムにおける例えば、照明制御システムにおいては、このような高度なシステム構成を必要としないものである。
【０００７】
本発明は、簡単な方法でIPアドレスが設定できる照明制御システムを提供することを目的とする。
【課題を解決するための手段】
【０００８】
請求項１の発明は、ユニークな照明主操作盤番号が設定され、前記照明主操作盤番号をポート番号と関連付けて保持している複数の照明主操作盤と；照明主操作盤と接続される制御端末器と；制御端末器に接続される照明負荷と；前記照明主操作盤に接続され照明主操作盤を監視するとともに、照明主操作盤のポート番号に対してIPアドレスをブロードキャストすることにより照明主操作盤にIPアドレスを付与する照明センター装置と；を具備することを特徴とする。
【０００９】
ポート番号は、設定用データを受信するための番号であり、ブロードキャストにより設定用データがポート番号とともに送信されてきた場合、照明主操作盤が所有するポート番号が当該設定用データに付与されているポート番号と一致する場合にのみ設定用データを受信することができるものである。
【００１０】
当該設定用データがIPアドレスの場合には、照明主操作盤は当該IPアドレスを受信することができ、照明センター装置からIPアドレスをブロードキャストすることにより、照明主操作盤は簡単にIPアドレスを自己のアドレスとして取り込むことができる。
【００１１】
請求項２の発明は、請求項１記載の照明制御システムにおいて、ユニークな照明主操作盤番号は、照明主操作盤のディップスイッチまたは画面操作により設定することを特徴とする。
【発明の効果】
【００１２】
請求項１および２記載の発明では、ブロードキャストにより照明主操作盤に対して設定用データであるIPアドレスを送信することができる。また、同一ポート番号でブロードキャストを受信し、照明主操作盤上のアプリケーションでその照明主操作盤番号宛か否かをポート番号でフィルタリングするのでアプリケーションへの処理負担を減らし高速処理が可能となる。
【発明を実施するための最良の形態】
【００１３】
以下、本発明の一実施の形態の照明制御システムを図面を参照して説明する。図１は本発明の第１の実施形態を示す照明制御システムの構成図、図２は同じく、設定用データの送信手順の模式図である。
【００１４】
図において、照明制御システムは、複数の照明主操作盤１と、照明主操作盤と接続される制御端末器２と、制御端末器に接続される照明負荷３と、照明主操作盤に接続され照明主操作盤を監視するとともに、照明主操作盤にIPアドレスを付与する照明センター装置４とを具備して構成されている。
【００１５】
照明センター装置４と各照明主操作盤１はハブ１ａ（ＨＵＢ）を介して第２の伝送信号線１ｂで接続されており、各照明主操作盤１と制御端末器２や壁スイッチ２ａなどは第１の伝送信号線２ｂを介してそれぞれ接続されている。
【００１６】
まず、照明主操作盤＃１、＃２、、、＃ｎにはそれぞれディップスイッチまたは画面操作による仮アドレスが設定されており、照明主操作盤１が持つユニークな照明主操作盤番号として照明主操作盤＃１には１、照明主操作盤＃２には２、照明主操作盤＃ｎにはｎが設定されている。
【００１７】
また、照明主操作盤１は、このユニークな照明主操作盤番号から設定用データを受信するポート番号を作成し、そのポート番号に対して照明センター装置４から送られてきたブロードキャストのデータを設定用データと認識する。
【００１８】
照明センター装置４は、設定したい照明主操作盤１のポート番号宛に設定したいデータをブロードキャストすることで、設定したい照明主操作盤１へ設定用データを送信することが可能となる。一般的には同一ポート番号でブロードキャストを受信しアプリケーションでその主操作盤番号宛の設定データか否か判断し、ポート番号でフィルタリングを行うのでアプリケーションへの処理負担を減らすことも可能となる。
【００１９】
図３は照明センター装置４からのIPアドレス設定の流れを示すフロー図である。まず、照明主操作盤＃１、＃２、、、＃ｎにはそれぞれディップスイッチまたは画面操作による仮アドレスが設定されており、照明主操作盤１が持つユニークな照明主操作盤番号として照明主操作盤＃１には１、照明主操作盤＃ｎにはｎが設定されている。
【００２０】
照明主操作盤１は、このユニークな照明主操作盤番号から設定用データを受信するポート番号を作成し、そのポート番号に対して送られてきたブロードキャストデータを設定用データと認識する。
【００２１】
ここで照明センター装置４から照明主操作盤＃１に対してIPアドレスを設定する場合、照明センター装置は設定したいIPアドレスをポート番号１に対してブロードキャストで送信する。すると照明主操作盤＃１のポート１ではこのブロードキャストのデータを受信できるが、照明主操作盤＃１以外は異なるポート番号で受信するように設定されているため受信不可能となる。
【００２２】
従って、照明主操作盤＃１のみがこのブロードキャストの設定用データを受信しIPアドレスを設定することが可能となる。同様に照明センター装置４はポート番号ｎに対して設定したいIPアドレスをブロードキャストすることで照明主操作盤＃ｎのIPアドレスを設定することが可能となる。
【図面の簡単な説明】
【００２３】
【図１】本発明の第１の実施形態を示す照明制御システムの構成図。
【図２】同じく、設定用データの送信手順の模式図。
【図３】照明センター装置からのIPアドレス設定の流れ示すフロー図。
【符号の説明】
【００２４】
１…照明主操作盤、１ａ…ハブ、２…制御端末器、２ａ…壁スイッチ、３…照明負荷、４…照明センター装置。
【図１】
2005286469.tif 000003
【図２】
2005286469.tif 000004
【図３】
2005286469.tif 000005